(57)【要約】      （修正有）【課題】利点の多い飲食メニュー用ラミネートシートを提供する。【解決手段】透明なベース兼用表示ラミネートシート体２及びこのベース兼用表示ラミネートシート体上に長さ方向に沿って配置してある透明な表示ラミネートシート体３を備えており、表示ラミネートシート体であってその長さ方向の一端辺と、ベース兼用表示ラミネートシート体であってその長さ方向の一端辺とが対応位置関係にありかつ溶着部１Ａを通じて溶着関係にあり、ベース兼用表示ラミネートシート体の他端辺が表示ラミネートシート体の他端辺より突出された延伸部が綴じ部２ａとなっている。【選択図】図１
0003226551.tif 000002
【実用新案登録請求の範囲】
【請求項１】
透明なベース兼用表示ラミネートシート体及びこのベース兼用表示ラミネートシート体上に長さ方向に沿って配置してある透明な表示ラミネートシート体を備えており、
上記表示ラミネートシート体であってその長さ方向の一端辺と、上記ベース兼用表示ラミネートシート体であってその長さ方向の一端辺とが対応位置関係にありかつ溶着部を通じて溶着関係にあり、
上記表示ラミネートシート体の他端辺は自由端であり、
上記ベース兼用表示ラミネートシート体の他端辺が上記表示ラミネートシート体の他端辺より突出された延伸部が綴じ部となっている
ことを特徴とする飲食メニュー用ラミネートシート。
【請求項２】
ベース兼用表示ラミネートシート体及び表示ラミネートシート体におけるこれらの長さ方向と交差する方向の幅が同一であることを特徴とする請求項１記載の飲食メニュー用ラミネートシート。
【請求項３】
綴じ部には複数の綴じ穴が開けてあることを特徴とする請求項１又は請求項２記載の飲食メニュー用ラミネートシート。
【考案の詳細な説明】
【技術分野】
【０００１】
この考案はレストランや飲食店などに利用される飲食メニュー用ラミネートシートに関する。
【背景技術】
【０００２】
大衆的なレストランや飲食店ではお客に対して特定の飲食物を注文してもらうためにラミネート加工された飲食メニューが提供されることが多い。この飲食メニューは、上下両シートの間に多種の料理名が印刷されたメニュー用紙を差し入れてラミネート加工により、すなわちラミネーターによって上下両シートを加熱しながらプレスしてメニュー用紙と共に一体化したものや、一枚のシートを二つ折りし折り曲げたシートの間にメニュー用紙を差し入れてラミネーターによってシートとメニュー用紙とを一体化したものが提案されている（特開平７−１２９０８６号公報参照）。
【先行技術文献】
【特許文献】
【０００３】
【特許文献１】特開平７−１２９０８６号公報
【考案の概要】
【考案が解決しようとする課題】
【０００４】
ラミネートシートはラミネーターにより容易に飲食メニューができ、そして飲食メニューはラミネート加工されているために防水性が期待できる。
このような利点を生かしつつ、さらに飲食メニュー用ラミネートシートによってより良い飲食メニューの提案が望ましい。
本発明の目的は、利点の多い飲食メニュー用ラミネートシートを提供することにある。
【課題を解決するための手段】
【０００５】
この考案における第１の特徴は、透明なベース兼用表示ラミネートシート体及びこのベース兼用表示ラミネートシート体上に長さ方向に沿って配置してある透明な表示ラミネートシート体を備えていることにある。上記表示ラミネートシート体であってその長さ方向の一端辺と、上記ベース兼用表示ラミネートシート体であってその長さ方向の一端辺とが対応位置関係にありかつ溶着部を通じて溶着関係にある。上記表示ラミネートシート体の他端辺は自由端である。上記ベース兼用表示ラミネートシート体の他端辺が上記表示ラミネートシート体の他端辺より突出された延伸部が綴じ部となっている。
この考案における第２の特徴は、第１の特徴を前提とし、ベース兼用表示ラミネートシート体及び表示ラミネートシート体におけるこれらの長さ方向と交差する方向の幅が同一であることにある。
この考案における第３の特徴は、第１又は第２の特徴を前提とし、綴じ部には複数の綴じ穴が開けてあることにある。
【考案の効果】
【０００６】
この考案によれば、利点の多い飲食メニュー用ラミネートシートを提供することができ、例えば専門性を必要とすることなく誰もが容易に手持ちのラミネーターによってメニューを製作できる他に、好みに応じたデザインでかつ幾つかの料理をまとめたメニューにすることができる。
【図面の簡単な説明】
【０００７】
【図１】この考案に係る飲食メニュー用ラミネートシートを示す正面図である。
【図２】図１におけるＩＩ−ＩＩ線断面図であって、表示ラミネートシート体を傾斜状態に持ち上げた図である。
【図３】この考案に係る飲食メニュー用ラミネートシートにメニュー用紙を納めた状態を示す一部切欠正面図である。
【図４】この考案に係る飲食メニュー用ラミネートシートをこのシート内にメニュー用紙を納めた状態でラミネーターに挿入して加工する直前の過程を示す縮小正面図である。
【図５】この考案に係る飲食メニュー用ラミネートシートをラミネート加工した飲食メニューを示す一部切欠正面図である。
【考案を実施するための形態】
【０００８】
この考案に係る飲食メニュー用ラミネートシートについて図面に基づいて説明する。
図１において、この考案の実施形態を示す飲食メニュー用ラミネートシート１は、透明なベース兼用表示ラミネートシート体２及びこのベース兼用表示ラミネートシート体上に長さ方向（図１左右方向）に沿って配置してある透明な表示ラミネートシート体３を備えている。
ベース兼用表示ラミネートシート体２であってその長さ方向の一端辺（図１左端辺）は、表示ラミネートシート体３であってその長さ方向の一端辺と対応位置関係にありかつ溶着部１Ａを通じて溶着関係にある。換言すると、表示ラミネートシート体３は、長さ方向の一端辺がベース兼用表示ラミネートシート体２の一端辺に溶着されてこのベース兼用表示ラミネートシート体に接続されている。ベース兼用表示ラミネートシート体２の一端辺及び表示ラミネートシート体３の一端辺同士が相互に溶着されて溶着部１Ａを形成している。
表示ラミネートシート体３の他端辺（図１右端辺）は自由端となっている。このため、表示ラミネートシート体３の他端辺を摘まんで、一端辺を基点としてこの表示ラミネートシート体を持ち上げると、図２に示すようにベース兼用表示ラミネートシート体２と傾斜状態にある表示ラミネートシート体との間に隙間４が開けられる。隙間４内に図２右側からメニュー用紙Ｐを差し入れることができる。メニュー用紙Ｐの片面又は両面には多種の料理名が印刷されている。
【０００９】
図１及び図３に示すようにベース兼用表示ラミネートシート体２の他端辺が表示ラミネートシート体３の他端辺より突出された延伸部が綴じ部２ａとなっている。綴じ部２ａには図１に示すように複数の綴じ穴２ａ１が予め開けられている。もっとも、綴じ穴２ａ１は飲食メニュー用ラミネートシート１をラミネート加工した後に開けても良い。
【００１０】
次に、飲食メニュー用ラミネートシート１のラミネート加工による飲食メニューＭの製法について、図１〜図４を参照して説明する。
図１に示す飲食メニュー用ラミネートシート１上の表示ラミネートシート体３の他端辺（図１右端辺）を摘まんで、図２に示すように一端辺を基点としてこれらの表示ラミネートシート体を持ち上げると、この表示ラミネートシート体とベース兼用表示ラミネートシート体２との間に隙間４ができるので、この隙間内に図２右側からメニュー用紙Ｐを差し入れ、メニュー用紙の先端部が溶着部１Ａに達するまで押し込む。そして、メニュー用紙Ｐをベース兼用表示ラミネートシート体２及び表示ラミネートシート体３に対して図３に示す定位置に納める。その後、メニュー用紙Ｐを差し入れた飲食メニュー用ラミネートシート１を先端側である図４右側から矢印方向に向けてラミネーターＬ内に挿入してラミネート加工をする。
ラミネート加工を終えると、図５に示す飲食メニューＭが製造される。飲食メニューＭにおいて、図５に示すメニュー用紙Ｐはその外周の溶着部１Ａ，１Ａ１，１Ａ２，１Ａ３を通じて表示ラミネートシート体３とベース兼用表示ラミネートシート体２とにより固定的に保持される。この結果、ベース兼用表示ラミネートシート体２、表示ラミネートシート体３及びメニュー用紙Ｐが全体として一体化された飲食メニューＭが完成される。
【００１１】
図５に示す飲食メニューＭをメニューブックにしたい場合には、飲食メニューを複数枚製作して、これらの飲食メニューを綴じ部２ａを基点として重ね合わせ、綴じ穴２ａ１に例えば綴じ紐を通して飲食メニューを束ねれば容易にメニューブックにすることができる。
【００１２】
図１に示すようにベース兼用表示ラミネートシート体２及び表示ラミネートシート体３におけるこれらの長さ方向と交差する方向（図上下方向）の幅を同一に設定すれば、飲食メニューＭの外観がすっきりし、ラミネート加工が円滑に行える。
【符号の説明】
【００１３】
１                                飲食メニュー用ラミネートシート
１Ａ，１Ａ１，１Ａ２，１Ａ３      溶着部
２                                ベース兼用表示ラミネートシート体
２ａ                              綴じ部
２ａ１                            綴じ穴
３                                表示ラミネートシート体
４                                隙間
Ｐ                                メニュー用紙
Ｌ                                ラミネーター
Ｍ                                飲食メニュー
【図１】
0003226551.tif 000003
【図２】
0003226551.tif 000004
【図３】
0003226551.tif 000005
【図４】
0003226551.tif 000006
【図５】
0003226551.tif 000007
【手続補正書】
【提出日】令和2年3月26日(2020.3.26)
【手続補正１】
【補正対象書類名】実用新案登録請求の範囲
【補正対象項目名】全文
【補正方法】変更
【補正の内容】
【実用新案登録請求の範囲】
【請求項１】
透明なベース兼用表示ラミネートシート体及びこのベース兼用表示ラミネートシート体上に長さ方向に沿って配置してある透明な表示ラミネートシート体を備えており、
上記表示ラミネートシート体の長さ方向の一端辺と、上記ベース兼用表示ラミネートシート体の長さ方向の一端辺とが対応位置関係にありかつ溶着部を通じて溶着関係にあり、
上記表示ラミネートシート体の他端辺は自由端であり、
上記ベース兼用表示ラミネートシート体の他端辺が上記表示ラミネートシート体の他端辺より突出された延伸部が綴じ部となっている
ことを特徴とする飲食メニュー用ラミネートシート。
【請求項２】
ベース兼用表示ラミネートシート体及び表示ラミネートシート体におけるこれらの長さ方向と交差する方向の幅が同一であることを特徴とする請求項１記載の飲食メニュー用ラミネートシート。
【請求項３】
綴じ部には複数の綴じ穴が開けてあることを特徴とする請求項１又は請求項２記載の飲食メニュー用ラミネートシート。
【手続補正２】
【補正対象書類名】明細書
【補正対象項目名】０００５
【補正方法】変更
【補正の内容】
【０００５】
この考案における第１の特徴は、透明なベース兼用表示ラミネートシート体及びこのベース兼用表示ラミネートシート体上に長さ方向に沿って配置してある透明な表示ラミネートシート体を備えていることにある。上記表示ラミネートシート体の長さ方向の一端辺と、上記ベース兼用表示ラミネートシート体の長さ方向の一端辺とが対応位置関係にありかつ溶着部を通じて溶着関係にある。上記表示ラミネートシート体の他端辺は自由端である。上記ベース兼用表示ラミネートシート体の他端辺が上記表示ラミネートシート体の他端辺より突出された延伸部が綴じ部となっている。
この考案における第２の特徴は、第１の特徴を前提とし、ベース兼用表示ラミネートシート体及び表示ラミネートシート体におけるこれらの長さ方向と交差する方向の幅が同一であることにある。
この考案における第３の特徴は、第１又は第２の特徴を前提とし、綴じ部には複数の綴じ穴が開けてあることにある。